(57)【特許請求の範囲】
【請求項１】
客別に接客用データをキーボードより入力して記憶手段に記憶し、
複数の客について、当該客の前記接客用データのうち識別番号と接客係の名前とを少なくとも示す部分接客用データを表示手段に一覧表示し、
前記一覧表示中に、前記キーボードの操作によって前記一覧表示中の前記部分接客用データの一つが指定されると、当該指定された部分接客用データに対応する客を清算する客として特定し、
前記清算する客が特定されると売上・会計画面を前記表示手段に表示し、当該特定された客の前記接客用データが示す注文品目および合計金額を前記表示手段に表示する
ことを特徴とするキャッシュレジスタ。
【請求項２】
前記表示手段に表示された前記部分接客用データの一部には、客数、注文時刻および合計金額のうち少なくとも一つがさらに含まれる
ことを特徴とする請求項１に記載のキャッシュレジスタ。
【発明の詳細な説明】
【０００１】
【発明の属する技術分野】
本発明は、レストランなどで用いられるオーダー記憶機能を備えたキャッシュレジスタに関する。
【０００２】
【従来の技術】
レストランなどでは、店員が、客の注文したメニュー及び客のテーブル番号などの接客データを、キーボード（盤面）を操作してキャッシュレジスタに入力して内蔵メモリに記憶する。
そして、客が清算を行うとき、店員はキーボードを操作して、客から受け取った伝票に付された伝票番号や、座席番号などのキーワードをキャッシュレジスタに入力する。これによって、当該客に関する接客データおよび会計額がキャッシュレジスタのディスプレイに表示される。
【０００３】
【発明が解決しようとする課題】
しかしながら、従来のキャッシュレジスタでは、店員が清算時に伝票番号やキーワードなどを入力することから、例えば、客が伝票を紛失してしまい伝票番号が分からない場合や、店員がキーワードを忘れてしまうなどの事態が生じた場合に、キャッシュレジスタにおいて接客データを検索できないという問題がある。
また、清算する度に、キーボードを操作して、伝票番号やキーワードを入力するのでは、清算作業に、手間および時間がかかり、操作性が悪いという問題がある。
【０００４】
本発明は、上述した従来技術に鑑みてなされ、清算時に、内蔵メモリに記憶した接客データを確実にしかも容易に検索することができるキャッシュレジスタを提供することを目的とする。
【０００５】
【課題を解決するための手段】
上述した従来技術の問題点を解決し、上述した目的を達成するために、本発明のキャッシュレジスタは、客別に接客用データをキーボードより入力して記憶手段に記憶し、複数の客について、当該客の前記接客用データのうち識別番号と接客係の名前とを少なくとも示す部分接客用データを表示手段に一覧表示し、前記一覧表示中に、前記キーボードの操作によって前記一覧表示中の前記部分接客用データの一つが指定されると、当該指定された部分接客用データに対応する客を清算する客として特定し、前記清算する客が特定されると売上・会計画面を前記表示手段に表示し、当該特定された客の前記接客用データが示す注文品目および合計金額を前記表示手段に表示する。
【０００６】
また、本発明のキャッシュレジスタは、前記表示手段に表示された前記部分接客用データの一部には、客数、注文時刻および合計金額のうち少なくとも一つがさらに含まれる。
【０００７】
本発明のキャッシュレジスタでは、先ず、処理手段からの表示信号に応じて、表示手段において、記憶手段に記憶された接客用データに含まれる少なくとも識別番号と接客係の名前を含む付属データが表示される。従って、例えば客が伝票を紛失した場合でも、店員は、接客係の名前からその客を高い確率で特定でき、当該客の接客用データを検索できる。次に、ユーザはキーボードを操作して清算を行う接客データを特定する。これによって、表示手段には、選択された接客用データに含まれる注文品目および合計金額が表示される。店員は、この表示を参考にしながら清算を行う。
【０００８】
【発明の実施の形態】
以下、本発明の実施形態に係わるキャッシュレジスタについて説明する。
図１は、本実施形態のキャッシュレジスタ１の構成図である。図２は図１に示すキャッシュレジスタ１の概略外観図である。
図１，図２に示すように、キャッシュレジスタ１は、処理部３、メモリ４、キーボード５およびディスプレイ６を有する。
店員は、例えば接客後に、キャッシュレジスタ１のキーボード５を操作して、卓番号、伝票番号、客数、担当者の名前、オーダーを開始した時刻、オーダーの内容および合計金額を含む接客データを卓毎に生成し、この接客データをメモリ４に記憶する。
【０００９】
処理部３は、例えば、ＣＰＵおよび内蔵メモリを備えている。処理部３は、店員によるキーボード５の操作に応じて、メモリ４に記憶された接客データを読み出す。
また、処理部３は、店員によるキーボード５の操作に応じた操作信号Ｓ５を入力すると、この操作信号Ｓ５に基づいて所定の処理を行い、その処理結果に応じた表示データＳ３をディスプレイ６に出力する。
【００１０】
次に、処理部３の処理に応じて表示されるディスプレイ６の画面について説明する。
ここでは、メモリ４に、卓番号「０５０」、「０２３」、「００２」、「００８」、「０３３」および「００１」の卓に関する接客データが記憶されている場合について説明する。
処理部３は、各接客データに含まれる識別番号としての卓番号および伝票番号と、付属データとしての客数、担当者の名前、オーダーを開始した時刻および合計金額を表示することを示す表示データＳ３を生成する。
ディスプレイ６には、表示データＳ３に基づいて、例えば、図３（Ａ）に示すように、接客データの一覧表示が行われる。
【００１１】
図３（Ａ）に示す表示において、「ＴＢＬ＃」は卓番号、「ＣＨＫ＃」は伝票番号、「ＧＳＴ＃」は客数、「ＣＳＨＲ／ＳＲＶＲ＃」は担当者の名前、「ＴＩＭＥ」はオーダーを開始した時刻および「ＢＡＬＡＮＣＥ」は合計金額をそれぞれ示している。また、「■」は、カーソルを示している。
図３（Ａ）に示す「Ｃ−ＵＰ」はカーソルの上移動、「Ｃ−ＤＷＮ」はカーソルの下移動、「ＵＰ」は前の画面表示、「ＤＯＷＮ」は次の画面表示、「Ｘ／ＴＩＭＥ」は確定キーおよび「ＣＬＥＡＲ」は画面消去をそれぞれ示している。
【００１２】
ここで、「Ｃ−ＵＰ」、「Ｃ−ＤＷＮ」、「ＵＰ」、「ＤＯＷＮ」、「Ｘ／ＴＩＭＥ」および「ＣＬＥＡＲ」は、キーボード５の釦に対応しており、ユーザによるキーボード５の操作に応じて、それに対応する操作信号Ｓ５が処理部３に出力され、処理部３において該当する処理が行われる。例えば、図３（Ａ）に示す状態で、ユーザが「Ｃ−ＤＷＮ」に対応する釦を押下すると、図３（Ｂ）に示すように、カーソルを示す「■」が下方に移動する。
【００１３】
また、ユーザが指で「Ｘ／ＴＩＭＥ」に対応する釦を押下すると、ディスプレイ６には図３（Ｃ）に示すように、図３（Ｂ）におけるカーソルの位置に対応する卓に関する通常の売上・会計画面になる。
図３（Ｃ）では、一列目に、卓番号「ＴＢＬ＃」、伝票番号「ＣＨＫ＃」、客数「ＧＳＴ＃」および担当者の名前「ＣＳＨＲ／ＳＲＶＲ＃」が表示される。
また、２列目以下に、オーダーの内容と、オーダーされた各品目の値段とが表示される。
【００１４】
次に、キャッシュレジスタ１の使用方法について説明する。
先ず、店員によるキーボード５の操作によって、接客データがメモリ４に記憶される。
その後、メモリ４に記憶された複数の卓に関する接客データのうち、「ＴＢＬ＃」、「ＣＨＫ＃」、「ＧＳＴ＃」、「ＣＳＨＲ／ＳＲＶＲ＃」、「ＴＩＭＥ」および「ＢＡＬＡＮＣＥ」のデータを表示する表示信号Ｓ３が処理部３からディスプレイ６に出力される。これによって、ディスプレイ６には、図３（Ａ）に示すような画像が表示される。
【００１５】
店員が卓番号「０３３」の客に対しての清算を行う場合に、店員は、キーボード５における図３（Ａ）に示す「Ｃ−ＤＷＮ」に対応する釦を押下し、カーソルを図３（Ｂ）に示すように、卓番号「０３３」の位置まで移動させる。
このとき、ディスプレイ６には、図３（Ａ）に示すように、卓番号、伝票番号、客数、担当者の名前、オーダーを開始した時刻および合計金額が表示されていることから、客がレシートを紛失して伝票番号が分からない場合や、店員が卓番号を忘れてしまった場合でも、その他の表示データから容易に清算を行う客を特定する接客データを検索することができる。
【００１６】
次に、店員は、図３（Ｂ）に示す状態で、キーボード５における「Ｘ／ＴＩＭＥ」の釦を押下する。これによって、ディスプレイ６には、図３（Ｃ）に示すような表示がされる。
店員は、図３（Ｃ）に示すディスプレイ６の表示から、清算を行う客が、１８００円のステーキと５００円のスープを注文し、その合計金額が２３００円であることを知り、これに従って清算手続きを行う。
【００１７】
以上説明したように、キャッシュレジスタ１によれば、卓番号や伝票番号などの識別番号に加えて、客数、担当者の名前、オーダーを開始した時刻および合計金額などの付属データが表示されることから、店員は、清算を行う客の接客データを正確かつ簡単に特定することができる。そのため、清算作業の正確性の向上および効率化を図ることができる。
また、キャッシュレジスタ１では、店員は識別番号などをキーボード５から入力する必要がなく、操作性に優れている。
【００１８】
本発明は上述した実施形態には限定されない。例えば、図３（Ａ）に示す一覧表示画面において表示される付属データは、客を特定するのに役立つデータであれば、図３（Ａ）に示すものには限定されない。また、ディスプレイ６における識別番号および付属データの表示態様も、図３（Ａ）〜（Ｃ）に示すものには限定されない。
【００１９】
【発明の効果】
以上説明したように、本発明のキャッシュレジスタによれば、清算時において、内蔵メモリに記憶した接客データを確実にしかも容易に取り出すことができ、清算作業の効率化を図ることができる。
【図面の簡単な説明】
【図１】図１は、本発明の実施形態に係わるキャッシュレジスタの構成図である。
【図２】図２は、図１に示すキャッシュレジスタの概略外観図である。
【図３】図３は、図１に示すディスプレイの表示を示す図であり、（Ａ）は一覧表示画面であり、（Ｂ）は（Ａ）の状態からカーソルを下方に移動した後の一覧表示画面であり、（Ｃ）は（Ｂ）に示す状態で確定キーが指定された場合の画面である。
【符号の説明】
１…キャッシュレジスタ
３…処理部
４…メモリ
５…キーボード
６…ディスプレイ
【図１】
0003778608.tif 000002
【図２】
0003778608.tif 000003
【図３】
0003778608.tif 000004